(57)【要約】      （修正有）【課題】  セキュリティシステムの信頼性を向上させることが可能なセキュリティ送信機及びセキュリティシステムの提供。【解決手段】  マグネットセンサ型送信機１及び人感センサ型送信機２は、マグネットＳＷ部１１及び人感センサ部２１からの検知信号を受信する毎に無線信号をコントローラ３に送信する送信部１４及び送信部２３と、コントローラ３からの警備セット／解除の赤外線信号を受信する赤外線信号受信部１６及び赤外線信号受信部２５とを備える。コントローラ３からの警備セット／解除の赤外線信号を赤外線信号受信部１６及び赤外線信号受信部２５により受信できるため、マグネットＳＷ部１１及び人感センサ部２１の検知信号を警備セット中のみ送信することが可能で、消費電力の低減を図れ、通信トラフィックを低減できる。【選択図】        図４
2006059151.tif 000002
【特許請求の範囲】
【請求項１】
侵入センサからの検知信号を受信する毎に無線信号をコントローラに送信する送信手段を備えたセキュリティ送信機であって、
前記コントローラからの警備セット／解除の赤外線信号を受信する赤外線信号受信手段を備えたことを特徴とするセキュリティ送信機。
【請求項２】
上記送信手段は、上記赤外線信号受信手段で上記コントローラからの警備解除の赤外線信号を受信した時、上記侵入センサからの検知信号があっても、前記コントローラに無線信号を送信しない請求項１に記載のセキュリティ送信機。
【請求項３】
上記送信手段は、上記赤外線信号受信手段で上記コントローラからの警備セット／解除の赤外線信号を受信した時、前記警備セット／解除の赤外線信号を受信したことを知らせる無線信号を前記コントローラに送信する請求項１または２に記載のセキュリティ送信機。
【請求項４】
上記侵入センサは、ドアや窓の開閉を検知するマグネットセンサと人の有無を検知する人感センサの一方、または両方である請求項１から３のいずれかに記載のセキュリティ送信機。
【請求項５】
請求項１から４のいずれかに記載のセキュリティ送信機を備えたセキュリティシステムであって、
前記セキュリティ送信機からの無線信号を受信して、警報音を発し侵入者を威嚇したり、警備センタに通報するコントローラを備えたことを特徴とするセキュリティシステム。
【請求項６】
上記コントローラは、警備セット／解除を入力する警備セット／解除入力手段と、前記警備セット／解除が設定される毎に警備セット／解除の赤外線信号を上記セキュリティ送信機に送信する赤外線送信手段とを備えている請求項５に記載のセキュリティシステム。
【請求項７】
上記コントローラとは別個に設置され、警備セット／解除の赤外線信号を上記セキュリティ送信機に送信する複数台の赤外線信号送信手段を備えており、
前記複数台の赤外線信号送信手段は、前記コントローラと有線または無線で接続されている請求項５または６に記載のセキュリティシステム。
【請求項８】
上記コントローラは、上記セキュリティ送信機の警備セット／解除状態を表示する表示手段を備え、前記表示手段は、前記セキュリティ送信機の警備セット／解除状態に対応する表示を行う請求項５から７のいずれかに記載のセキュリティシステム。
【請求項９】
侵入センサからの検知信号を受信する毎に無線信号をコントローラに送信する送信手段を備えたセキュリティ送信機であって、
前記コントローラから送信される警備セット／解除の信号を受信する信号受信手段を備えたことを特徴とするセキュリティ送信機。
【発明の詳細な説明】
【技術分野】
【０００１】
本発明は、無線を用いたセキュリティ送信機及びセキュリティシステムに関し、特に、侵入センサの検知信号をコントローラに無線にて送信するセキュリティ送信機及びこのセキュリティ送信機を用いたセキュリティシステムに関するものである。
【背景技術】
【０００２】
従来、セキュリティシステムは、警備領域内で異常が発生すると、警備領域内に設置されているコントローラが警報音を鳴らしたり、コントローラから通信回線を介して警備センタに通報する。
警備センタにて、この異常通報を受信すると、異常発生場所や異常内容を対処者に伝え、対処者が該当する警備領域に急行し適切な対応を行うようになっている。
【０００３】
警備領域内での異常には、火災異常や、警備セット中での人の検知，扉の開，窓の開などの侵入異常や、セキュリティシステムを構成する機器に障害が生じた機器異常などがある。
【０００４】
例えば、侵入異常は、警備領域の各所に設置されている人体が発する赤外線を検知し人の有無を検知するいわゆるパッシブ赤外線センサや、人の通過する箇所に赤外線ビームを投受光し赤外線の遮断を検知する赤外線ビームセンサ等の人の侵入そのものを検知する人感センサや、窓や扉の開閉を検知するマグネットセンサなど種々の侵入センサによって検知される。
【０００５】
そして、侵入センサによって検知された検知信号は、セキュリティ送信機から無線信号でコントローラに送信したり、有線信号にてコントローラに送信する。
この検知信号をコントローラにて受信すると、侵入センサからの検知信号の場合、コントローラは、警備領域が警備セット中であれば、警報音を鳴らし威嚇を行ったり、通信回線を介して警備センタに通報する。
一方、警備領域が警備解除中であれば、侵入センサから検知信号を受信しても異常と扱わず、警報音や通報を行なわない。
【０００６】
また、コントローラは、火災検知信号や機器異常信号を受信すると、侵入者の検知の場合と異なり警備領域の警備モードに関係なく、警備センタに通報するようにしている。
【０００７】
侵入センサは、侵入者と当該警備領域の正規の使用者とを区別せず、警備領域の警備モードに関係なく検知信号を送出するため、コントローラが警備モードの状態にて、侵入異常か否かを判断しているのである。
【０００８】
また、侵入センサからのコントローラへの検知信号の送信方法として、無線にて行なう方法と、有線にて行なう方法とがある。
有線にて行なう場合は、侵入センサからコントローラまで配線が必要であるため、警備領域の美感を損ねたり、配線工事費がかかるという問題がある。
【０００９】
そこで、侵入センサの近傍にセキュリティ送信機を設置し、侵入センサの検知信号を無線信号としてコントローラに送信するいわゆる無線式セキュリティシステムが実用化されている。
【００１０】
ここで、無線式セキュリティシステムの侵入センサの検知信号の特殊性について説明する。
警備セット中に比べて警備解除中の方が、該検知信号は頻繁に発生する。
警備解除中は、利用者が警備領域内を自由に移動するので、侵入センサは頻繁に検知信号を発生するためである。
【００１１】
しかし、この警備解除中の侵入センサの検知信号の通報は不要であり、この不要な検知信号を全てセキュリティ送信機にて無線送信すると、通信トラフィックが増加したり、通信のために電池を消耗する等の問題がある。
【００１２】
そこで、従来の無線式セキュリティシステムでは、侵入センサが検知しても、セキュリティ送信機は検知信号を全て無線送信するのではなく、セキュリティ送信機は最初の検知信号をコントローラに無線送信し、その後の侵入センサの検知時間間隔が自己に内蔵されたタイマーの所定時間内であれば、検知信号をコントローラに無線送信しないようにしていた。
【００１３】
これにより、セキュリティ送信機は、警備解除中のように人体等を連続的に検知しても、最初の検知信号のみコントローラに送信するだけで済むので、無線通信トラフィックが緩和されると共に、送信処理に伴う電池の消耗を減少させることができる。
即ち、無駄な検知信号の送信を防止するようにしていた。
【００１４】
例えば、従来例として、侵入センサの検知信号をコントローラに無線にて送信するセキュリティ送信機が特許文献１に開示されている。
【特許文献１】特開平１１−１１０６６８号公報
【発明の開示】
【発明が解決しようとする課題】
【００１５】
しかし、侵入センサが長時間にわたって頻繁に検知してしまう場合、例えば、パッシブ赤外線センサの監視エリア内に太陽光などで熱せられたカーテンが風によって揺れ続けていた時には、セキュリティ送信機は、当該侵入センサの検知信号が、その都度自己に内蔵されたタイマーの所定時間内となるため、コントローラに無線送信されない。
【００１６】
このような状態が警備解除中に生じていると、警備セットになっても侵入センサの検知信号がセキュリティ送信機からコントローラに送信されず、ひいては警備センタに伝わらなかった。
【００１７】
また、セキュリティ送信機に警備セット中、警備解除中の警備モードの区別を認識させるようにして、検知信号の送信の要否を判断させることも考えられるが、コントローラからの警備セット／解除情報を受信するためには、セキュリティ送信機に無線受信機能を持たせる必要があり、コストアップになってしまうと共に、無線受信処理に伴う電池の消耗も大きくなる問題も生じていた。
【００１８】
さらに、特許文献１に開示されたセキュリティ送信機によると、内蔵されたタイマーの所定時間を強制的に解除する強制解除手段を設け、侵入センサの検知信号が連続して検出している時でも、第２のタイマーにより一定時間後には無線送信を行う等の工夫を行ったものもある。
【００１９】
但し、この場合でも連続した侵入センサの検知信号が発生する場合では、第２のタイマーの期間を長く設定しなければ頻繁な無線送信処理に伴い電池の消耗が大きくなる問題が残り、その期間は本当の侵入があっても警備センタに通報されないという問題は解決できていない。
【００２０】
そこで、本発明は、上記課題に鑑みてなされたもので、セキュリティ送信機の駆動電力の消費低減，コントローラの処理量低減，及び通信トラフィックを緩和するために、コントローラから赤外線信号により警備セット／解除情報をセキュリティ送信機に知らせることができ、警備セット中のみ侵入センサが侵入者を検知した時に、セキュリティ送信機が侵入センサの検知信号を無線でコントローラへ送信することで、セキュリティシステムの信頼性を向上させることが可能なセキュリティ送信機及びセキュリティシステムを提供することを目的とする。
【課題を解決するための手段】
【００２１】
この発明は、上記目的を達成するために、以下の構成を備えている。
本発明のセキュリティ送信機は、侵入センサからの検知信号を受信する毎に無線信号をコントローラに送信する送信手段を備えたセキュリティ送信機であって、前記コントローラからの警備セット／解除の赤外線信号を受信する赤外線信号受信手段を備えたことを特徴とする構成を有するものである。
【００２２】
上記に記載の本発明によれば、無線を用いたセキュリティ送信機に赤外線信号受信手段を備えることで、コントローラからの警備セット／解除の赤外線信号を赤外線信号受信手段により受信できるため、侵入センサの検知信号を警備セット中のみ送信することが可能で、侵入センサの検知信号を受けているにも拘わらず検知信号を長時間にわたって送信しない状態となるのを防ぐことができ、消費電力の低減を図れ、通信トラフィックを低減できる。
さらに、警備セット中であれば、侵入センサの検知信号を受けると、直ちに無線信号をコントローラに送信することができるため、セキュリティシステムの信頼性を向上することができる。
また、特に、赤外線信号受信手段を用いることで、セキュリティ送信機のコストアップを低く抑えることが可能で、且つ、消費電力も低く、電池駆動でも長時間の動作が可能となる。
【００２３】
本発明のセキュリティ送信機は、上記送信手段が、上記赤外線信号受信手段で上記コントローラからの警備解除の赤外線信号を受信した時、上記侵入センサからの検知信号があっても、前記コントローラに無線信号を送信しないようになっていると良い。
【００２４】
上記に記載の本発明によれば、コントローラからの警備解除の赤外線信号を赤外線信号受信手段で受信した時、侵入センサからの検知信号があっても、送信手段がコントローラに無線信号を送信しないので、通信トラフィックの低減，消費電力の低減を図れ、送信手段からコントローラへの無駄な無線信号の送信を防止できる。
【００２５】
本発明のセキュリティ送信機は、上記送信手段が、上記赤外線信号受信手段で上記コントローラからの警備セット／解除の赤外線信号を受信した時、前記警備セット／解除の赤外線信号を受信したことを知らせる無線信号を前記コントローラに送信するようになっていると良い。
【００２６】
上記に記載の本発明によれば、コントローラ側で各セキュリティ送信機が警備セット／解除のどちらの状態であるかを確認することができるため、コントローラの指示とセキュリティ送信機の状態が食い違うことを防止することができ、警備セット／解除の赤外線信号を再送することも可能となり、セキュリティシステムの信頼性の向上が図られる。
【００２７】
本発明のセキュリティ送信機は、上記侵入センサが、ドアや窓の開閉を検知するマグネットセンサと人の有無を検知する人感センサの一方、または両方であることが好ましい。
【００２８】
上記に記載の本発明によれば、警備解除中に頻繁に検知するマグネットセンサ及び人感センサを搭載したセキュリティ送信機に警備セット／解除の赤外線信号を受信できる赤外線信号受信手段を備えることで、駆動電力の消費低減，通信トラフィックの低減が可能であり、より効果が大きい。
【００２９】
本発明のセキュリティシステムは、上記に記載のセキュリティ送信機を備えたセキュリティシステムであって、前記セキュリティ送信機からの無線信号を受信して、警報音を発し侵入者を威嚇したり、警備センタに通報するコントローラを備えたことを特徴とする構成を有する。
【００３０】
上記に記載の本発明によれば、コントローラがセキュリティ送信機からの無線信号を受信することで、警報音を発して侵入者を威嚇することができ、コントローラが警備センタに通報するので、侵入者が警備領域内に侵入したことを警備センタに知らせることができる。
【００３１】
本発明のセキュリティシステムは、上記コントローラが、警備セット／解除を入力する警備セット／解除入力手段と、前記警備セット／解除が設定される毎に警備セット／解除の赤外線信号を上記セキュリティ送信機に送信する赤外線送信手段とを備えてもよい。
【００３２】
上記に記載の本発明によれば、コントローラが警備セット／解除入力手段を備えることで、警備セット／解除の操作が行われると、赤外線送信手段がセキュリティ送信機に対して警備セット／解除の赤外線信号を送信して警備セット中であるか、警備解除中であるかを知らせることができる。
【００３３】
本発明のセキュリティシステムは、上記コントローラとは別個に設置された警備セット／解除の赤外線信号を上記セキュリティ送信機に送信する複数台の赤外線信号送信手段を備えており、前記複数台の赤外線信号送信手段が、前記コントローラと有線または無線で接続されていてもよい。
上記に記載の本発明によれば、赤外線信号送信手段をコントローラと分離して、有線または無線で接続された複数台の赤外線信号送信手段を備えることで、コントローラと同一空間に設置されたセキュリティ送信機だけでなく、別の場所に設置されたセキュリティ送信機に対しても赤外線信号で警備セット／解除の操作を行うことができる。
【００３４】
本発明のセキュリティシステムは、上記コントローラが、上記セキュリティ送信機の警備セット／解除状態を表示する表示手段を備え、前記表示手段が、前記セキュリティ送信機の警備セット／解除状態に対応する表示を行うようになっていると良い。
【００３５】
上記に記載の本発明によれば、コントローラがセキュリティ送信機の警備セット／解除状態を表示する表示手段を持ち、表示手段が各セキュリティ送信機の警備セット／解除状態に対応する表示を行うことで、赤外線送信手段の異常等でどのセキュリティ送信機が指示した警備セット／解除状態になっていないことを使用者に知らしめることができる。
したがって、セキュリティシステムの信頼性が向上する。
本発明のセキュリティ送信機は、侵入センサからの検知信号を受信する毎に無線信号をコントローラに送信する送信手段を備えたセキュリティ送信機であって、前記コントローラから送信される警備セット／解除の信号を受信する信号受信手段を備えたことを特徴とする構成を有するものである。
【発明の効果】
【００３６】
以上説明したように、本発明によれば、セキュリティ送信機の駆動電力の消費低減，コントローラの処理量低減，及び通信トラフィックを緩和するために、コントローラから赤外線信号により警備セット／解除情報をセキュリティ送信機に知らせることができ、警備セット中のみ侵入センサが侵入者を検知した時に、セキュリティ送信機が侵入センサの検知信号を無線でコントローラへ送信することで、セキュリティシステムの信頼性を向上させることが可能なセキュリティ送信機及びセキュリティシステムを得ることができる。
【発明を実施するための最良の形態】
【００３７】
以下、本発明を実施するための最良の形態を図面を参照して詳細に説明する。
【実施例】
【００３８】
本発明のセキュリティ送信機としてのマグネットセンサ型送信機１及び人感センサ型送信機２は、侵入センサであるマグネットセンサ（マグネットＳＷ部１１）及び人感センサ（人感センサ部２１）からの検知信号を受信する毎に無線信号をコントローラ３に送信する送信手段となる送信部１４及び送信部２３を備えている。
【００３９】
本発明のマグネットセンサ型送信機１及び人感センサ型送信機２は、コントローラ３からの警備セット／解除の赤外線信号を受信する赤外線信号受信手段となる赤外線信号受信部１６及び赤外線信号受信部２５を備えている。
【００４０】
本発明のマグネットセンサ型送信機１及び人感センサ型送信機２は、送信部１４及び送信部２３が、赤外線信号受信部１６及び赤外線信号受信部２５でコントローラ３からの警備解除の赤外線信号を受信した時、マグネットＳＷ部１１及び人感センサ部２１からの検知信号があっても、コントローラ３に無線信号を送信しないようになっている。
【００４１】
本発明のマグネットセンサ型送信機１及び人感センサ型送信機２は、送信部１４及び送信部２３が、赤外線信号受信部１６及び赤外線信号受信部２５でコントローラ３からの警備セット／解除の赤外線信号を受信した時、警備セット／解除の赤外線信号を受信したことを知らせる無線信号をコントローラ３に送信するようになっている。
【００４２】
本発明のマグネットセンサ型送信機１及び人感センサ型送信機２は、侵入センサが、ドアや窓の開閉を検知するマグネットセンサとなるマグネットＳＷ部１１と人の有無を検知する人感センサとなる人感センサ部２１の一方、または両方である。
【００４３】
本発明のセキュリティシステムＳは、マグネットセンサ型送信機１及び人感センサ型送信機２を備え、マグネットセンサ型送信機１及び人感センサ型送信機２からの無線信号を受信して、警報音を発し侵入者を威嚇したり、警備センタ５に通報するコントローラ３を備えている。
【００４４】
本発明のセキュリティシステムＳは、コントローラ３が、警備セット／解除を入力する警備セット／解除入力手段となる操作部３１と、警備セット／解除が設定される毎に警備セット／解除の赤外線信号をマグネットセンサ型送信機１及び人感センサ型送信機２に送信する赤外線送信手段となる赤外線発光ＬＥＤ３８とを備えている。
【００４５】
本発明のセキュリティシステムＳは、コントローラ３とは別個に設置された警備セット／解除の赤外線信号をマグネットセンサ型送信機１及び人感センサ型送信機２に送信する複数台の赤外線信号送信手段となる赤外線信号送信機４を備えており、複数台の赤外線信号送信機４が、コントローラ３と有線または無線で接続されている。
【００４６】
本発明のセキュリティシステムＳは、コントローラ３が、マグネットセンサ型送信機１及び人感センサ型送信機２の警備セット／解除状態を表示する表示手段となる表示部３２を備え、表示部３２が、マグネットセンサ型送信機１及び人感センサ型送信機２の警備セット／解除状態に対応する表示を行うようになっている。
【００４７】
図１は、本発明の実施例に係るセキュリティシステムを示す全体構成図である。
セキュリティシステムＳは、図１に示すように、家等の警備領域内への侵入を検知する侵入センサとしてドアや窓の開閉を検知するマグネットセンサ型送信機１，人の動きを検知する人感センサ型送信機２を設けている。
【００４８】
該マグネットセンサ型送信機１，人感センサ型送信機２は、各々の侵入センサの検知信号をコントローラ３に無線送信する。
このように、コントローラ３は、侵入センサが警備領域内への侵入を検知すると、電話回線等の通信回線６を介して警備センタ５に通報を行う。
【００４９】
それと、警備セット／解除の赤外線信号をコントローラ３から該マグネットセンサ型送信機１，人感センサ型送信機２に知らせるための赤外線信号送信機４が設けられている。
【００５０】
図２は、本発明の実施例に係るセキュリティシステムのコントローラの構成を示すブロック図である。
コントローラ３は、図２に示すように、操作部３１と、表示部３２と、通報部３３と、受信部３４と、アンテナ３５と、送信部３６と、赤外線駆動部３７と、赤外線発光ＬＥＤ３８と、制御部３９とから構成されている。
【００５１】
コントローラ３の操作部３１は、操作キーやカードリーダ等から構成され、警備領域の正規の使用者や対処者が操作する操作部であり、警備領域を警備解除状態から警備セット状態に又はその逆に移行する操作等を行うための警備セット／解除入力手段である。
【００５２】
コントローラ３の表示部３２は、ＬＥＤ（Ｌｉｇｈｔ  Ｅｍｉｔｔｉｎｇ  Ｄｉｏｄｅ；発光ダイオード）やＬＣＤ（Ｌｉｑｕｉｄ  Ｃｒｙｓｔａｌ  Ｄｉｓｐｌａｙ；液晶ディスプレイ）から構成され、警備領域の状態（全体及び各侵入センサの警備セット中や警備解除中等），異常発生の有無，機器のメンテナンス情報などを表示する。
【００５３】
コントローラ３の通報部３３は、電話回線等の通信回線６を介して警備センタ５に異常通報を行う。
【００５４】
コントローラ３の受信部３４は、マグネットセンサ型送信機１，人感センサ型送信機２から送信される無線信号をアンテナ３５を介して受信する。
【００５５】
また、コントローラ３の送信部３６は、赤外線信号送信機４に対して、警備セット／解除の無線信号をアンテナ３５を介して送信する。
【００５６】
コントローラ３の赤外線駆動部３７は、マグネットセンサ型送信機１，人感センサ型送信機２に対して赤外線発光ＬＥＤ３８を駆動して警備セット／解除の赤外線信号を送信する。
【００５７】
そして、コントローラ３の制御部３９は、前述の各部を制御するマイクロコンピュータ等からなる。
【００５８】
図３は、本発明の一実施例の赤外線信号送信機の構成を示すブロック図である。
赤外線信号送信機４は、図３に示すように、アンテナ４１と、受信部４２と、制御部４３と、赤外線駆動部４４と、赤外線発光ＬＥＤ４５とから構成されている。
【００５９】
赤外線信号送信機４は、コントローラ３からの警備セット／解除の無線信号をアンテナ４１を介して受信部４２で受信すると、制御部４３は赤外線駆動部４４に指示し、マグネットセンサ型送信機１，人感センサ型送信機２に対して赤外線発光ＬＥＤ４５を駆動して警備セット／解除の赤外線信号を送信する。
このように、受信した警備セット／解除の無線信号を警備セット／解除の赤外線信号に変換して送信する機能を持つものである。
【００６０】
図４は、本発明の一実施例のマグネットセンサ型送信機の構成を示すブロック図である。
マグネットセンサ型送信機１は、図４に示すように、ドアや窓に設置され、ドアや窓の開閉を検知するマグネットＳＷ部１１の検知信号を受け制御部１７に取り込むインタフェース回路であるマグネットＩ／Ｆ部１２と、該検知信号を無線信号に変換しアンテナ１３から無線送信する送信部１４と、警備セット／解除の赤外線信号を赤外線受光部１５を介して受信する赤外線信号受信部１６と、マイクロコンピュータ及び記憶手段，時計手段等の周辺回路からなり、前述の各部を制御する制御部１７と、これらに電源を供給する電池１８とから構成される。
【００６１】
図５は、本発明の一実施例の人感センサ型送信機の構成を示すブロック図である。
人感センサ型送信機２は、図５に示すように、人の動きを熱の変化として捉えるパッシブ赤外線センサ等からなる人感センサ部２１と、該検知信号を無線信号に変換しアンテナ２２から無線送信する送信部２３と、警備セット／解除の赤外線信号を赤外線受光部２４を介して受信する赤外線信号受信部２５と、マイクロコンピュータ及び記憶手段，時計手段等の周辺回路からなり、前述の各部を制御する制御部２６と、これらに電源を供給する電池２７とから構成される。
【００６２】
なお、人感センサ部２１は、パッシブ赤外線センサに限定されるものではなく、超音波センサ，赤外線ビームセンサなど警備エリアの人を検知するものであれば良い。
【００６３】
次に、警備セット／解除のセキュリティシステムとしての動作について説明する。
コントローラ３は、操作部３１で警備セット状態に又はその逆の警備解除状態に操作されると、送信部３６が赤外線信号送信機４に対して警備セット／解除の無線信号をアンテナ３５を介して送信する。
また同時に、コントローラ３は、マグネットセンサ型送信機１，人感センサ型送信機２に対して赤外線駆動部３７により赤外線発光ＬＥＤ３８を駆動して警備セット／解除の赤外線信号を送信する。
【００６４】
赤外線信号送信機４は、コントローラ３からの警備セット／解除の無線信号をアンテナ４１を介して受信部４２で受信すると、受信した警備セット／解除の無線信号を警備セット／解除の赤外線信号に変換し、マグネットセンサ型送信機１，人感センサ型送信機２に対して赤外線駆動部４４により赤外線発光ＬＥＤ４５を駆動して警備セット／解除の赤外線信号を送信する。
【００６５】
マグネットセンサ型送信機１は、警備セット／解除の赤外線信号を赤外線受光部１５を介して赤外線信号受信部１６で受信すると、制御部１７は警備セット中のみマグネットＳＷ部１１の検知信号を送信部１４及びアンテナ１３を介して無線信号としてコントローラ３に送信する。
警備解除中は、マグネットＳＷ部１１がドアや扉の開閉を検知しても無線信号は送信しない。
【００６６】
なお、警備セット／解除の赤外線信号を赤外線受光部１５を介して赤外線信号受信部１６で受信すると、該赤外線信号を受信して警備セット状態又は警備解除状態になったことをコントローラ３に知らせるために、制御部１７は送信部１４及びアンテナ１３を介して警備セット／解除の無線信号をコントローラ３に送信する。
【００６７】
人感センサ型送信機２は、警備セット／解除の赤外線信号を赤外線受光部２４を介して赤外線信号受信部２５で受信すると、制御部２６は警備セット中のみ人感センサ部２１の検知信号を送信部２３及びアンテナ２２を介して無線信号としてコントローラ３に送信する。
警備解除中は、人感センサ部２１が人を検知しても無線信号は送信しない。
【００６８】
なお、警備セット／解除の赤外線信号を赤外線受光部２４を介して赤外線信号受信部２５で受信すると、該赤外線信号を受信して警備セット状態又は警備解除状態になったことをコントローラ３に知らせるために、制御部２６は送信部２３及びアンテナ２２を介して警備セット／解除の無線信号をコントローラ３に送信する。
【００６９】
このように、図４及び図５に示すマグネットセンサ型送信機１及び人感センサ型送信機２のような、警備解除中は侵入センサの検知信号を頻繁に検知する無線セキュリティ送信機に、赤外線信号受信手段として赤外線信号受信部１６及び赤外線信号受信部２５を持たせることで、コントローラ３の警備セット／解除操作が行われたことを各送信機側で知ることができ、警備セット時のみ、ドアや窓の開閉の検知信号又は人の検知信号を無線信号としてコントローラ３に送信するため、通信トラフィックを低減でき、電池１８及び電池２７の寿命を長くすることができる。
【００７０】
また、警備セット中であれば、侵入センサの検知信号を受けると、直ちに無線信号をコントローラに送信することができるため、セキュリティシステムの信頼性を向上することができる。
【００７１】
なお、無線受信部をマグネットセンサ型送信機１及び人感センサ型送信機２に搭載することで上記と同様な効果を得られるが、無線受信部は赤外線信号受信手段に比べ、受信時の消費電力が大きいため、電池の寿命は短くなる。
また、コストも高くなる。
【００７２】
従って、赤外線信号受信手段として赤外線信号受信部１６及び赤外線信号受信部２５をマグネットセンサ型送信機１及び人感センサ型送信機２に設けることにより、より安価で、電池の寿命が長いセキュリティ送信機を実現することができる。
【００７３】
また、上記実施例の構成では、警備セット中に、侵入センサが人の侵入を検知した時は、マグネットセンサ型送信機１及び人感センサ型送信機２が信頼性の高い無線通信で人の侵入をコントローラ３に知らせるため、セキュリティシステムの信頼性を低下させることがない。
【００７４】
また、コントローラ３は、マグネットセンサ型送信機１及び人感センサ型送信機２が指示した通り、警備セット状態又は警備解除状態になったことを無線信号としてアンテナ３５を介して受信部３４で受信すると、マグネットセンサ型送信機１及び人感センサ型送信機２の警備セット／解除状態を表示部３２に表示する。
【００７５】
なお、コントローラ３は、赤外線通信等の障害などで、指示した通りの警備セット／解除状態にマグネットセンサ型送信機１又は人感センサ型送信機２の状態が変わっていなければ、該無線信号の受信はない。
この場合、コントローラ３は、マグネットセンサ型送信機１又は人感センサ型送信機２に警備セット／解除の赤外線信号の再送を行うと共に、表示部３２に各センサの警備セット／解除状態を表示する。
【００７６】
このように、使用者が警備セット／解除操作時に各マグネットセンサ型送信機１又は人感センサ型送信機２の状況をコントローラ３の表示部３２で知ることができるため、警備セット／解除の設定の食い違い異常を知ることができる。
【００７７】
また、赤外線信号送信機４により、コントローラ３と別の部屋に設置したマグネットセンサ型送信機１及び人感センサ型送信機２に対しても、警備セット／解除操作を赤外線信号として送信することができる。
【００７８】
なお、同一空間であれば１台の赤外線信号送信機４で複数台のマグネットセンサ型送信機１及び人感センサ型送信機２に対して通信が可能であるため、赤外線信号送信機４は各部屋単位で設置すれば良く、各セキュリティ送信機に無線受信部を設ける方法に比べて、システム全体のコストを低く抑えることができる。
【００７９】
なお、上記実施例では、コントローラ３から無線で赤外線信号送信機４に通信する構成例を示したが、コントローラ３から有線で赤外線信号送信機４に通信しても良い。
【００８０】
また、上記実施例では、コントローラ３に赤外線送信手段を搭載した構成例を示したが、コントローラ３には赤外線送信手段を持たず、赤外線信号送信機４を介して制御する構成としても良いことはいうまでもない。
【００８１】
次に、本発明の別の実施例の赤外線信号送信機，マグネットセンサ型送信機，人感センサ型送信機について説明する。
図６は、本発明の別の実施例の赤外線信号送信機の構成を示すブロック図である。
赤外線信号送信機４は、図６に示すように、制御部４３と、赤外線駆動部４４と、赤外線発光ＬＥＤ４５と、通信部４６と、赤外線受光部４７と、赤外線信号受信部４８とから構成されている。
【００８２】
赤外線信号送信機４の通信部４６は、コントローラ３と有線で通信を行う。
【００８３】
赤外線信号送信機４は、マグネットセンサ型送信機１，人感センサ型送信機２からの侵入検知を赤外線信号として赤外線受光部４７を介して赤外線信号受信部４８で受信する。
【００８４】
図７は、本発明の別の実施例のマグネットセンサ型送信機の構成を示すブロック図である。
マグネットセンサ型送信機１は、図７に示すように、ドアや窓に設置され、ドアや窓の開閉を検知するマグネットＳＷ部１１の検知信号を受け制御部１７に取り込むインタフェース回路であるマグネットＩ／Ｆ部１２と、該検知信号を赤外線信号に変換し赤外線発光部１０２を介して無線送信する赤外線信号送信部１０１と、警備セット／解除の赤外線信号を赤外線受光部１５を介して受信する赤外線信号受信部１６と、マイクロコンピュータ及び記憶手段，時計手段等の周辺回路からなり、前述の各部を制御する制御部１７と、これらに電源を供給する電池１８とから構成される。
【００８５】
図８は、本発明の別の実施例の人感センサ型送信機の構成を示すブロック図である。
人感センサ型送信機２は、図８に示すように、人の動きを熱の変化として捉えるパッシブ赤外線センサ等からなる人感センサ部２１と、該検知信号を赤外線信号に変換し赤外線発光部２０２を介して無線送信する赤外線信号送信部２０１と、警備セット／解除の赤外線信号を赤外線受光部２４を介して受信する赤外線信号受信部２５と、マイクロコンピュータ及び記憶手段，時計手段等の周辺回路からなり、前述の各部を制御する制御部２６と、これらに電源を供給する電池２７とから構成される。
マグネットセンサ型送信機１，人感センサ型送信機２は、侵入センサが人の侵入を検知すると、赤外線信号を赤外線信号送信機４に送信する。
【００８６】
このように構成することにより、コントローラ３からの警備セット／解除の赤外線信号だけでなく、マグネットセンサ型送信機１，人感センサ型送信機２での侵入センサの検知信号を赤外線信号に変換し赤外線信号送信機４に送信すると共に、赤外線信号送信機４を介してコントローラ３に送信することができる。
従って、上記実施例では、図４及び図５に示す実施例のマグネットセンサ型送信機１，人感センサ型送信機２に無線送信部を設ける構成に比べて、安価にセキュリティシステムを構成することができる。
【００８７】
なお、赤外線信号の場合、各マグネットセンサ型送信機１，人感センサ型送信機２の設置後の家具等の配置変更で物体による赤外線信号が遮蔽され、通信ができなくなる場合が考えられるが、侵入検知が無い時でも、各マグネットセンサ型送信機１，人感センサ型送信機２から一定周期で信号を送信し、コントローラ３にて該一定周期の送信信号の受信が無い場合には異常と判定することで、セキュリティシステムとしての信頼性の確保が可能である。
なお、図６において、コントローラ３と赤外線信号送信機４は有線にて通信を行っているが、これを無線にて行うようにしてもよい。
【図面の簡単な説明】
【００８８】
【図１】本発明の実施例に係るセキュリティシステムを示す全体構成図。
【図２】本発明の実施例に係るセキュリティシステムのコントローラの構成を示すブロック図。
【図３】本発明の一実施例の赤外線信号送信機の構成を示すブロック図。
【図４】本発明の一実施例のマグネットセンサ型送信機の構成を示すブロック図。
【図５】本発明の一実施例の人感センサ型送信機の構成を示すブロック図。
【図６】本発明の別の実施例の赤外線信号送信機の構成を示すブロック図。
【図７】本発明の別の実施例のマグネットセンサ型送信機の構成を示すブロック図。
【図８】本発明の別の実施例の人感センサ型送信機の構成を示すブロック図。
【符号の説明】
【００８９】
１  マグネットセンサ型送信機（セキュリティ送信機）
２  人感センサ型送信機（セキュリティ送信機）
３  コントローラ
４  赤外線信号送信機（赤外線信号送信手段）
５  警備センタ
６  通信回線
１１  マグネットＳＷ部（侵入センサ）
１２  マグネットＩ／Ｆ部
１３  アンテナ
１４  送信部（送信手段）
１５  赤外線受光部
１６  赤外線信号受信部（赤外線信号受信手段）
１７  制御部
１８  電池
２１  人感センサ部（侵入センサ）
２２  アンテナ
２３  送信部（送信手段）
２４  赤外線受光部
２５  赤外線信号受信部（赤外線信号受信手段）
２６  制御部
２７  電池
３１  操作部（警備セット／解除入力手段）
３２  表示部（表示手段）
３３  通報部
３４  受信部
３５  アンテナ
３６  送信部
３７  赤外線駆動部
３８  赤外線発光ＬＥＤ（赤外線送信手段）
３９  制御部
４１  アンテナ
４２  受信部
４３  制御部
４４  赤外線駆動部
４５  赤外線発光ＬＥＤ
４６  通信部
４７  赤外線受光部
４８  赤外線信号受信部
１０１  赤外線信号送信部
１０２  赤外線発光部
２０１  赤外線信号送信部
２０２  赤外線発光部
Ｓ  セキュリティシステム
【図１】
2006059151.tif 000003
【図２】
2006059151.tif 000004
【図３】
2006059151.tif 000005
【図４】
2006059151.tif 000006
【図５】
2006059151.tif 000007
【図６】
2006059151.tif 000008
【図７】
2006059151.tif 000009
【図８】
2006059151.tif 000010